(57)【特許請求の範囲】
【請求項１】
配合仕様に従ってグラウトをグラウト注入装置に供給し、注入されるグラウトの流量と圧力とを検出し、その検出されたグラウトの流量および圧力ならびに作業内容を記憶し、管理するグラウチング施工管理方法において、前記グラウトの流量および圧力ならびに作業内容を記憶し管理する注入制御・データ管理装置（２１）がデータベース（２８ａ）を有する施工情報データベース管理装置（２８）に接続し、その施工情報データベース管理装置（２８）に遠隔地の作業情報表示装置（３２）を接続し、その作業情報表示装置が作動を開始すると、接続可否を判定して接続可能の場合は日報の作成か解析資料の作成かを選択し、日報の作成の場合は、管理者は日報フラグがＯＮであれば日報を受け取り、日報内容の承認手続をして承認結果をデータベース（２８ａ）に送信し、解析資料作成の場合は、解析条件を入力して解析結果を受け取り、そして表示することを特徴とするグラウチング施工管理方法。
【請求項２】
グラウト製造プラント（１）におけるグラウト製造を制御する中央プラント制御装置と、グラウチング条件と日報内容を記憶し管理する注入制御・データ管理装置（２１）と、前記注入制御・データ管理装置に接続されデータベース（２８ａ）を有する施工情報データベース管理装置（２８）とを備えるグラウチング施工管理装置において、前記施工情報データベース管理装置（２８）には回線（３０）を介して接続された遠隔地の作業情報表示装置（３２）を備え、前記施工情報データベース管理装置（２８）は、作業情報表示装置（３２）が作動を開始すると認証サーバにより接続可否を判定し、接続可能であればウェブサーバを介して、作業情報表示装置（３２）に取り込む情報を選択し、日報の作成を行う場合は、作業情報表示装置（３２）に表示し、その承認結果をデータベース（２８ａ）に送信し、解析資料を作成する場合は、解析条件を入力して解析結果を受け取り、その結果を表示する機能を有することを特徴とするグラウチング施工管理装置。
【発明の詳細な説明】
【０００１】
【発明の属する技術分野】
本発明は、地盤強化のためにグラウトを製造し、そのグラウトを地盤に注入するためのグラウチング施工管理方法と装置に関する。
【０００２】
【従来の技術】
地盤に液状グラウトを注入して強度を高めるグラウチング工は、図１２に示すように、グラウトを製造するグラウト製造プラント１と、ここで作られたグラウトをボーリング孔１７から注入させるグラウト注入装置１１と、ボーリング孔１７に注入されたグラウト量および注入圧力を記録した図１３に示すようなアナログチャートを作成する注入チャート作成部５０と、アナログチャートの原データと日報に含まれる作業内容等を管理するデータ管理装置５１と、データ管理装置５１からの基礎データに基づき日報・集計表を作成する日報作成装置５４と、日報作成装置５４の持つ解析用基礎データから各種解析資料たとえば図１５に示されるような実セメント注入量やグラウトの注入前調査および注入効果を確認のための図１４に示されるルジオン値等を解析する解析装置５９と、によって行われている。
【０００３】
以上の装置において、複数のボーリング孔１７のそれぞれに対してグラウト注入装置１１と、注入チャート作成部５０と、データ管理装置５１と、流量圧力検出部１５とは一式になって作動するようになっている。
【０００４】
そして、地盤条件の異なる多数のボーリング孔１７に対して、注入仕様にしたがって、グラウト製造プラント１でグラウトが配合され、供給管９を介してグラウト注入装置１１のアジテータ１２にに送られる。そしてアジテータ１２内のグラウトは、注入ポンプ１３から注入仕様圧で流量・圧力検出装置１５を介して注入管１６によりボーリング孔１７に注入される。
【０００５】
これらのグラウチング工の過程と実績は、グラウト供給量、グラウト供給圧力、注入仕様に則った作業記録となって、１部はアナログチャートである注入チャートとして流量圧力計記録部５０から出力され、その他は、流量・圧力記録も含めて管理データとしてデータ管理装置５１に保管され、ＩＣメモリカード５２を介して、定期および／または随時に、日報・集計表５６として日報作成装置５４による処理を経て、プリンタ５５から出力される。また、地盤の透水度等の解析用基礎データは、一旦、日報作成装置５４で編集された解析用基礎データ５７を使用して解析装置５９で解析され、プリンタ６０を介して各種解析資料および実績図面６１として出力される。
【０００６】
上記のように、従来のグラウチング工における作業管理の方法と装置は、地盤を強化する現地の記録集計および管理資料の作成には有益必須である。
【０００７】
しかし、管理情報および技術情報作成が日報作成装置５４および解析装置５９に限定されていた。したがって、たとえば、工事状況の確認、さらには、工事日程の変更、地盤の予想外の状況への総合対策、等の施工検討会を行うに際して、施工管理者は、膨大な資料の整理、コピーまたは資料の新規作成が必要であり、施工検討会の即時開催、即時検討、即時決裁等が困難であった。
【０００８】
【発明が解決しようとする課題】
本発明は、上記の従来技術の欠点に鑑みて提案されたもので、グラウチング工における最新の管理情報、技術情報を施工管理者と作業現場とで一元化して共有すると共に、各種管理および技術資料をペーパレスで即時検討できるグラウチング施工管理方法と装置の提供を目的とする。
【０００９】
【課題を解決するための手段】
本発明によれば、配合仕様に従ってグラウトをグラウト注入装置に供給し、注入されるグラウトの流量と圧力とを検出し、その検出されたグラウトの流量および圧力ならびに作業内容を記憶し、管理するグラウチング施工管理方法において、前記グラウトの流量および圧力ならびに作業内容を記憶し管理する注入制御・データ管理装置（２１）がデータベース（２８ａ）を有する施工情報データベース管理装置（２８）に接続し、その施工情報データベース管理装置（２８）に遠隔地の作業情報表示装置（３２）を接続し、その作業情報表示装置が作動を開始すると、接続可否を判定して接続可能の場合は日報の作成か解析資料の作成かを選択し、日報の作成の場合は、管理者は日報フラグがＯＮであれば日報情報を受け取り、日報内容の承認手続をして承認結果をデータベース（２８ａ）に送信し、解析資料作成の場合は、解析条件を入力して解析結果を表示し、必要に応じて解析結果のデータファイルを受け取れるようになっている。
【００１１】
上記の本発明のグラウチング施工管理方法によれば、グラウト製造制御工程での配合仕様等の製造状条件および製造量等の製造管理情報と、注入制御・データ管理工程でのグラウト注入データのデジタル記録と、グラウチング情報管理工程で作成される日報、集計表およびグラウト注入に関する解析資料等は、施工情報データベース管理工程で一元化され、この一元化された情報は、例えばインターネット等の通信媒体により、通信回線を介して、遠隔地で選択した必要な情報が送信される。遠隔地も含めた各所では、この情報を作業情報表示工程で受信し大型画面出力器に出力して施工検討会等をペーパレスで即時に検討できるようにする。
【００１２】
また本発明によれば、グラウト製造プラント（１）におけるグラウト製造を制御する中央プラント制御装置と、グラウチング条件と日報内容を記憶し管理する注入制御・データ管理装置（２１）と、前記注入制御・データ管理装置に接続されデータベース（２８ａ）を有する施工情報データベース管理装置（２８）とを備えるグラウチング施工管理装置において、前記施工情報データベース管理装置（２８）には回線（３０）を介して接続された遠隔地の作業情報表示装置（３２）を備え、前記施工情報データベース管理装置（２８）は、作業情報表示装置（３２）が作動を開始すると認証サーバにより接続可否を判定し、接続可能であればウェブサーバを介して、作業情報表示装置（３２）に取り込む情報を選択し、日報の作成を行う場合は、作業情報表示装置（３２）に表示し、その承認結果をデータベース（２８ａ）に送信し、解析資料を作成する場合は、解析条件を入力して解析結果を受け取り、その結果を表示する機能を有している。
【００１４】
これにより、施工情報データベース管理装置からの情報により中央プラント制御装置で多数各種のグラウトの製造及び供給を制御し、それらのデータを施工情報データベース管理装置に送信する。また、ボーリング孔へのグラウトの注入記録は注入制御・データ管理装置から施工情報データベース管理装置に送信される。このように、グラウト製造および注入記録はすべて施工情報データベース管理装置に入力されてデータの一元化が図られる。また、現地では、グラウチング情報管理装置によって注入制御・データ管理装置および施工情報データベース管理装置からの情報で作業記録（例えば日報等）、集計表、解析資料が作成され、現地ではペーパ資料が得られると共に、その結果は施工情報データベース管理装置の大容量記憶装置に収納されデータの一元化が図られる。そして、施工情報データベース管理装置は、通信回線等の通信媒体を介して、例えばインターネットで使用される各種ソフトにより、遠隔地の作業情報表示装置にも施工状況、作業記録（日報）、集計表および注入チャートとその解析資料等の技術情報を送信する。作業情報表示装置は、これらの情報を必要時にいつでも大型画面に出力する。
【００１５】
【発明の実施の形態】
以下図面を参照して本発明の実施の形態を説明する。なお本発明の実施の形態を説明するに際して、従来技術に関連する説明に使用した装置と実質的に同じ装置には、同じ名称、符号を使用している。
図１および図２において、グラウチング施工管理装置は、グラウト製造プラント１におけるグラウト製造を制御する中央プラント制御装置８と、グラウチング条件と日報内容を記憶し管理する注入制御・データ管理装置２１と、注入制御・データ管理装置２１に回線２３で接続された施工情報データベース管理装置２８と、施工情報データベース管理装置２８に通信端末２９、３１および回線３０を介して接続された作業情報表示装置３２と、作業情報表示装置３２に接続された大型画面出力器３３と、施工情報データベース管理装置２８に回線２７によって接続されたグラウチング情報管理装置２４とで構成されている。
【００１６】
中央プラント制御装置８は、グラウト製造プラント１の中にあって、グラウト製造室２を制御して配合仕様に従ったグラウトを指定のグラウト注入装置１１に供給するようになっている。すなわち、サイロ３から必要量のセメント（或いは、その他のグラウト材料）をコンベア４を介して中央プラント５内のバケット６に供給し、水を供給して所期の配合にし、グラウト供給弁７から供給管９への送出制御を行うようなっている。
【００１７】
グラウト注入装置は、中央プラント５から送られたグラウトを撹拌してミルク状を保つアジテータ１２と、アジテータ内のグラウトを圧送管１４とボーリング孔１７に挿入された注入管１６を介して注入する注入ポンプ１３と、ボーリング孔１７に注入されるグラウトの流量と圧力を検出する流量・圧力検出装置１５とで構成されている。
【００１８】
注入制御・データ管理装置２１は、流量・圧力検出装置１５で検出されたグラウトの流量および圧力と、グラウト注入仕様に基づく作業内容等とを、記録、送信、演算処理等の容易なデジタルデータで記憶し、管理するように構成されている。
【００１９】
施工情報データベース管理装置２８は、記憶装置で構成されたデータベース２８ａを付設していて、データベースサーバ、ウェブサーバ、認証サーバ等を使用して作業現場内の注入制御・データ管理装置２１とグラウチング情報管理装置２４および作業情報表示装置３２と情報の交信をするように構成されている。
【００２０】
作業情報表示装置３２は、施工情報データベース管理装置２８と交信して施工検討会等の協議時に、日報、各種解析資料、実績図面、注入チャート等を大型画面出力器３３に表示するようになっている。
【００２１】
大型画面出力器３３は施工検討会の会場に設置されているものであり、多数の会議出席者が同時に画面を見られるような、たとえば、液晶プロジェクタの表示器で構成されている。
【００２２】
ここで、現場事務所と管理室とがネットワークで接続されている場合と、ネットワークでは接続されていない場合とが存在する。現場事務所と管理室とがネットワークで接続されていない場合には、ＩＣカード２２経由でデータをグラウチング情報管理装置２４へ一旦送り、その後、施工情報データベース管理装置２８へデータが送られる。
【００２３】
図１及び図２の実施形態の作用について図３〜図１１の作業フローチャートによって説明する。
図３においては、グラウト製造制御工程である中央プラント制御装置１での作業ステップを示している。
先ず、グラウト製造作業を開始する（ステップＳ１）。データベース２８ａとのネットワークが設置されているか否かを判定する（ステップＳ２）。
ネットワークが設置されていなければステップＳ３に行き、ＩＣカード経間で指定された配合テーブルを入力する。そして、グラウトの搬送要求にしたがって（ステップＳ４）グラウトを製造し要求個所に搬送する（ステップＳ５）。次に、グラウト供給量を計算して記録媒体に入力する（ステップＳ６）。
ここで、計算されるべきグラウト供給量は、例えば一回の作業毎の供給要求に基づくグラウト製造量と、その日全体のＴＯＴＡＬ積算量である。また、記録媒体とは、中央プラント制御装置１に内蔵された図示されていない記録媒体か、或いは、ＩＣカード２２である。
【００２４】
次に、作業を継続するか、否かを判断する（ステップＳ７）。継続であればステップＳ４に行く。作業終了であればステップＳ８に行き終了する。
【００２５】
ステップＳ２でネットワーク設置ＹＥＳの場合は、データベス２８ａに記憶された配合切替テーブルを読み込む（ステップＳ１０）。次に、注入制御・データ管理装置２１からの要求であるグラウト要求情報を取得する（ステップＳ１１）。
次に、グラウト製造要求の有無を確認し（ステップＳ１２）、製造要求があればステップＳ１３に行き、なければステップＳ１１で取得した情報による別の製造要求をステップＳ１２で確認する（ステップＳ１２）。
グラウト製造要求有りでは、要求のあった注入管理作業装置の状況を取得する（ステップＳ１３）。
次に、グラウト製造順位を判定する（ステップＳ１４）。
次に、所定の製造手順にしたがってグラウトを製造し、搬送する（ステップＳ１５。）。
次に、グラウトの供給量を計算し、データベース２８ａに送信する（ステップＳ１６）。
次に、作業を継続するか、否か判断する（ステップＳ１７）。終了であれば、ステップＳ８に行き終了する。継続するのであればステップＳ１２に戻る。
【００２６】
次に、図４によって注入制御・データ管理工程である注入制御・データ管理装置２１での作業ステップを説明する。
先ず、グラウト注入管理作業を開始する（ステップＳ２１）。注入作業孔のインデックスを入力する（ステップＳ２２）。
注入仕様をデータベース２８ａから読み込む（ステップＳ２３）。
そして、注入孔の地盤強度を確認するための透水、水押し試験を開始する（ステップＳ２４）。次に、透水、水押し試験での流量と圧力を計測する（ステップＳ２５）。次に、計測値の水量、圧力が仕様通りか、否かを判定し（ステップＳ２７）、仕様通りであればつぎのステップＳ２８に行く。仕様と異なっていれば流量、圧力を弁で制御して（ステップＳ２６）、ステップＳ２５に戻る。
ステップＳ２８では、試験工程管理の規定にしたがって、透水・水押し試験を行う。この試験が終了したら（ステップＳ２９）、ステップＳ３０に行き、未了ではステップＳ２５に戻る。
【００２７】
ステップＳ３０では、上記試験結果をもとに地盤の密度を示すルジオン値を算出する。
次に、前ルジオン値とグラウト配合テーブルよりグラウト初期配合を決定する（ステップＳ３１）。
次に、グラウト供給を要求して（ステップＳ３２）、注入流量および圧力の計測をする（ステップＳ３３）。その計測を注入工程管理の規定にしたがって行い（ステップＳ３４）、所定の注入量に達したか否かを判断して（ステップＳ３５）、所定量に達したならば配合切換をおこなう（ステップＳ３５でＹｅｓ：「配合切替」の表示側）。ステップＳ３５で配合切替の場合には、グラウト供給を要求して（ステップＳ３６）、ステップＳ３３に戻る。所定の注入量に達せず配合切替不要であれば（ステップＳ３５がＮｏ）、ステップＳ３７に行く。
つぎのステップＳ３７では、配合が中断された場合に、その理由がトラブルによるものかどうかを調べる（ステップＳ３７）。停止がトラブルによるものであればトラブルシューティングにしたがって対応する（ステップＳ３８）。次に、復旧可、不可を判断して（ステップＳ３９）、復旧可能であればステップＳ３３に戻って再度、流量圧力計測から行う。
復旧不能であれば、ステップＳ４１に行く。
前ステップＳ３７での配合中断が、注入作業の終了であれば（ステップＳ４０）、データ編集をする（ステップＳ４１）。そしてステップＳ４２に行く。ステップＳ４０で注入作業が未了であれば、ステップＳ３３に戻る。
ステップＳ４１でのデータ編集結果を、ネットワークが設置されていれば（ステップＳ４２）、オンラインを介してデータベース２８ａに送信する（ステップＳ４３）。そして、つぎのステップＳ４５で終了となる。ネットワークが設置されていなければ、記録媒体２２にデータ編集結果を出力し（ステップＳ４４）、注入制御の作業は終了する（ステップＳ４５）。
【００２８】
次に、図５〜図７によってグラウチング情報管理工程であるグラウチング情報管理装置２４での作業ステップを説明する。
図５において、グラウチング情報管理工程であるグラウチング情報管理装置２４でのデータ入力を作業ステップで説明する。
先ず、グラウチング情報の入力作業を開始する（ステップＳ５１）。
ボーリングデータを入力する（ステップＳ５２）。
この入力されたボーリングデータをデータベース２８ａに送信する（ステップＳ５３）。なお、データベース２８ａには注入仕様、注入作業データ、グラウト供給実績、集約データ、承認管理データ等が入るようになっている。
次に、ネットワークが設置されているか、否かを判断し（ステップＳ５４）、設置されていなければグラウチング管理データをデータベース２８ａに送信する（ステップＳ５５）と共に、集約データを作成し（ステップＳ５６）、つぎのステップＳ５７で入力作業は終了する。
ステップＳ５４においてネットワークが設置されていれば（ステップＳ５４がＹｅｓ）、ステップＳ５５においてデータベース２８ａへ送信を行う。一方、ステップＳ５４においてネットワークが設置されていなければ（ステップＳ５４がＮｏ）、ステップＳ５６で集約データを作成して入力は終了する（ステップＳ５７）。
【００２９】
図６において、グラウチング情報管理工程であるグラウチング情報管理装置２４での解析の作業ステップを説明する。
先ず、グラウチング情報の解析作業を開始する（ステップＳ６１）。
次に、解析条件を入力する（ステップｓ６２）。
次に、上記解析条件をもとにグラウチング情報管理装置２４で、データベース２８ａからグラウチングに関する原データを引出して解析を行う（ステップＳ６３）。
この解析結果をプリンター２５から出力する（ステップＳ６４）。そして、つぎのステップＳ６５で解析は終了する。
【００３０】
図７においては、グラウチング情報管理工程であるグラウチング情報管理装置２４での日報作成の作業ステップを説明する。
【００３１】
先ず、グラウチング情報の解析作業を開始する（ステップＳ７１）。
次に、日報出力指示（ステップＳ７２）によって、データベース２８ａから日報に関する原データを引出して出力処理を行う（ステップＳ７３）。
この結果を紙に出力するか、否かを決定し（ステップＳ７４）、紙への出力はプリンタ２２によって行い（ステップＳ７８）、そして終了する（ステップＳ７９）。
日報をペーパレスで出力させる場合は、グラウチング情報管理装置２４の画面に表示させる（ステップＳ７５）。次に、日報内容の承認手順を踏み（ステップＳ７６）、承認処理をしてデータベース２８ａに送信し（ステップＳ７７）、終了（ステップＳ７９）になる。
【００３２】
次に、図８によって中央情報管理工程である施工情報データベース管理装置２８での作用を、遠隔地の作業情報表示装置３２で利用する場合を例として作業ステップで説明する。
先ず、遠隔地の作業情報表示装置３２が作動を開始する（ステップＳ８１）と、接続認証情報が入力される（ステップＳ８２）。この接続認証情報をインターネット上の、たとえばウェブサーバへ送信する（ステップＳ８３）。ウェブサーバで後記の認証サーバで認証チェックをして結果が返答される（ステップＳ８４）。認証結果を接続可否で判定する（ステップＳ８５）。たとえば、利用許可者以外の部外者からの利用等で接続不可であればステップＳ１０２で終了する。接続可能であれば、ウェブサーバに接続される（ステップＳ８６）。次に、作業情報表示装置３２に取り込む情報の選択をし（ステップＳ８７）、日報の作成を行うのであればステップＳ８８を実行する。一方、解析資料を作成させ表示させる場合はステップＳ９７に行く。ステップＳ８８では、日報状況をウェブサーバによって確認する。
【００３３】
次に、日報フラグがＯＮであれば、管理者は日報をチェックする（ステップＳ８９）。日報がなく日報フラグがＯＦＦであればステップＳ９６に行く。日報フラグがＯＮの場合、ウェブサーバ、データベースサーバを介して日報を受け取り（ステップＳ９０）、作業情報表示装置３２の画面に表示する（ステップＳ９１）。そして、日報内容の承認手続きをする（ステップＳ９２）。承認結果をデータベース２８ａに送信する。
【００３４】
さらに次の承認者がいるか、否かを確認し（ステップＳ９４）、ＮＯであればステップＳ９６に行く。つぎの承認者がいれば、日報フラグをＯＦＦにする（ステップＳ９５）。
ステップＳ９６では、日報承認作業を繰り返すか、否かを判定する。繰り返しがない場合は、終了になる（ステップＳ１０２）。繰り返す場合は、ステップＳ８８に戻る。
【００３５】
ステップＳ８７で解析資料作成、過去の日報作成を選択する場合は、例えば画像表示命令ソフト（所謂「ブラウザ」等）に解析条件を入力する（ステップＳ９７）。ステップＳ９８では、この解析条件をデータベースサーバに送信する（ステップＳ９８）。ステップＳ９９では、データベースサーバから解析結果を受け取る（ステップＳ９９）。ステップＳ１００では、解析結果を大画面出力器等にこの解析結果を表示する。そしてステップＳ１０１では、解析、画面表示の繰り返しを確認し、繰り返しのある場合はステップＳ９７に行き、繰り返しがない場合は終了する（ステップＳ１０２）。
【００３６】
図９〜図１１では、特に図９で使用したインタネット上の支援ソフトの作用について作業ステップで説明する。
図９は、認証サーバを示し、ステップＳ１１１で認証情報を受け取り、ステップＳ１１２では、たとえばユーザ登録名、パスワード等の認証処理をする。認証処理の結果判定をして（ステップＳ１１３）、可であれば接続許可をする（ステップＳ１１４−ａ）。不可であれば、切断処理をして（ステップＳ１１４−ｂ）、終了する（ステップＳ１１５）。
【００３７】
図１０は、例として所謂「ウェブサーバ」を用いた場合の作用を示す。先ずステップＳ１２１より、外部問い合わせの新規日報確認作業を実行する。そして新規日報の有無を確認をし（ステップＳ１２２）、有れば日報フラグをＯＮにし（ステップＳ１２３）、ステップＳ１２４に行く。無ければステップＳ１２４に行く。ステッップ１２４では、ウェブサーバへの接続の有無を確認し、無ければステップＳ１２１に戻り、有ればステップＳ１２５に行く。ステップＳ１２５では、日報フラグはＯＮか、否かを確認し、ＯＮであればステップＳ１２６に行き、否であればステップＳ１２８に行く。ステップＳ１２６では、日報なしの場合に例えばホームページ作成用言語であるＨＴＭＬにし（ステップＳ１２６）、その結果を日報状況確認要求部署に送信する（ステップＳ１２７）。ステップＳ１２８では、データベース２８ａから日報情報を取得する。その情報をＨＴＭＬ変換し（ステップＳ１２９）、結果を送信する（ステップＳ１２７）。
【００３８】
図１１はデータベースサーバの作用を示し、ステップＳ１３１で資料解析条件を受け取る。これに従って、データベース２８ａと交信して資料検索をする（ステップＳ１３２）。検索結果をＨＴＭＬ変換し（ステップＳ１３３）、その結果を送信する（ステップＳ１３４）。
【００３９】
【発明の効果】
本発明の作用効果を、以下に列挙する。
（１）グラウト製造制御工程のグラウト製造条件と、注入制御・データ管理工程の日報および注入データと、グラウチング情報管理工程で作成される日報集計および解析資料とが施工情報データベース管理装置に一元管理され、通信回線で送信されるので遠隔地でも作業情報表示装置によって大型画面に表示され、施工検討会等をペーパレスで即時開催、検討できる。
（２）施工情報データベース管理装置に情報が一元管理されるのでグラウチング現地と施工管理側で情報の共有ができる。
（３）施工情報データベース管理装置に全データ、資料があり、随時取り出しができるので、グラウチング現地でも膨大な資料の保管が不要である。
（４）ペーパレスによって特にサイズの異なるかつ、膨大な注入データいわゆるアナログチャートのコピーおよび保管管理が省かれる。
（５）中央情報管理工程での通信回線による送信にウェブサーバ、データベースサーバ、認証サーバ等のインターネットソフトを使用するので、交信が確実容易でソフトのメンテナンスが不要である。
（６）グラウトに関するすべての情報は、デジタルデータなのでデータベースサーバで一元管理が容易である。そのため、情報の一元管理により得られる全てのメリットを享受する事が出来る。
（７）グラウト情報の利用者はホームページ検索用のブラウザソフトで容易に情報を入手できる。
（８）現地と施工管理者側がネットワークを組むことで日報のオンライン提出が可能である。
【図面の簡単な説明】
【図１】本発明の実施形態を示すグラウト工総合管理装置のブロック図。
【図２】図１の主要部間の信号伝達図。
【図３】中央プラント制御装置の作業を示すフローチャート図。
【図４】グラウト注入制御・管理装置の作業を示すフローチャート図。
【図５】グラウチング情報管理装置のデータ入力作業を示すフローチャート図。
【図６】グラウチング情報管理装置の解析の作業を示すフローチャート図。
【図７】グラウチング情報管理装置の日報作成の作業を示すフローチャート図。
【図８】遠隔地パソコンによる管理情報送信指示の作業を示すフローチャート図。
【図９】管理情報検索における認証サーバの作業を示すフローチャート図。
【図１０】管理情報検索におけるウェブサーバの作業を示すフローチャート図。
【図１１】管理情報検索におけるデータベースサーバの作業を示すフローチャート図。
【図１２】従来のグラウト工管理装置のブロック図。
【図１３】グラウチングのアナログチャート例を図。
【図１４】ボーリング孔位置とルジオン値の関係を例示する図。
【図１５】ボーリング孔位置とセメント注入量の関係を例示する図。
【符号の説明】
１・・・グラウト製造プラント
２・・・グラウト製造室
８・・・中央プラント制御装置
１１・・・グラウト注入装置
１５・・・流量・圧力検出装置
１７・・・ボーリング孔
１８・・・注入チャート
２１・・・注入制御・データ管理装置
２２・・・記録媒体
２３・・・回線
２４・・・グラウチング情報管理装置
２８・・・施工情報データベース管理装置
２８ａ・・・大容量記憶装置
３２・・・作業情報表示装置
３３・・・大型画面出力器
【図１】
0003666630.tif 000002
【図２】
0003666630.tif 000003
【図３】
0003666630.tif 000004
【図４】
0003666630.tif 000005
【図５】
0003666630.tif 000006
【図６】
0003666630.tif 000007
【図７】
0003666630.tif 000008
【図８】
0003666630.tif 000009
【図９】
0003666630.tif 000010
【図１０】
0003666630.tif 000011
【図１１】
0003666630.tif 000012
【図１２】
0003666630.tif 000013
【図１３】
0003666630.tif 000014
【図１４】
0003666630.tif 000015
【図１５】
0003666630.tif 000016